(57)【要約】  拡張可能な旅行かばん類は、十分に堅い主要な周縁フレームと十分に堅い二次的な周縁フレームを含む。可撓性材料から成る周縁の連続ガセットは、二つの周縁フレームの間で接続される。主要な周縁フレームから成る対向壁パネルは、ブリッジアセンブリにより二次的な周縁フレームの対応する対向壁パネルに連結され、当該アセンブリの一つは、それぞれのフレームの対向壁パネルの各々と結合している。ブリッジアセンブリは各々、第一構成部品の壁パネルに固定される収納部材、中に開口を有する収納部材、及び第二構成部品の壁パネルに固定され、かつ収納部材により摺動自在に収納される十分に堅いブリッジプレートであって、前記プレートは開口と協働できる第一と第二の舌部を有するプレートを含む。
2008510571.tif 000002
【特許請求の範囲】
【請求項１】
第一の十分に堅い構成部品と第二の十分に堅い構成部品を有するフレームであって、その各々は、別の対の周縁壁部材と一緒に、変動可能な容積の筐体の周縁境界と、ほぼ長方形領域とを形成する、一対の対向する長方形の周縁壁パネルを含むフレームと；
前記二つのフレーム構成部品の前記周辺壁パネルと周縁壁部材との間に接続される可撓性材料から成る周縁連続ガセットと；
前記第一構成部品の各壁パネルを、共平面関係にありかつ互いに向かって及び互いから離れて、前記二つの構成部品の直線移動用の、前記第二構成部品の対応する壁パネルに連結するブリッジアセンブリであって、
ブリッジアセンブリの各々は、
前記第一構成部品の前記壁パネルに連結される収納部材であって、中に開口を区画形成する端部を有する収納部材と；
前記第二構成部品の前記壁パネルに連結され、かつ前記収納部材により摺動自在に収納されるブリッジプレートであって、前記プレートは第一と第二の少なくとも一部は弾性要素を有し、各弾性要素は前記二つの構成部品の互いに対する直線移動をほぼ固定するために、前記開口を区画形成する前記端部の少なくとも一部と係合可能に協働するよう構成されるブリッジプレート；
を含むブリッジアセンブリ；
を具備する、拡張可能な旅行かばん類。
【請求項２】
前記少なくとも一部の弾性要素は舌部を具備する、請求項１に記載の拡張可能な旅行かばん類。
【請求項３】
前記舌部の少なくとも一部は、前記開口を含む前記収納部材の表面に向かって固有に付勢される、請求項２に記載の拡張可能な旅行かばん類。
【請求項４】
前記第一弾性要素の前記舌部の付勢された最先端は、前記第二構成部品から十分に離れた前記開口を区画形成する前記端部の部分に係合し、また前記第一弾性要素の十分に付勢されていない次の端部は、前記第一弾性要素の少なくとも一部を囲む前記ブリッジプレートの一部とほぼ同一平面にある、請求項２に記載の拡張可能な旅行かばん類。
【請求項５】
前記第二弾性要素の前記舌部の付勢された最先端は、前記第二構成部品に十分に近接する前記開口を区画形成する前記端部の部分に係合し、また前記第二弾性要素の十分に付勢されていない次の端部は、前記第二弾性要素の少なくとも一部を囲む前記ブリッジプレートの一部とほぼ同一平面にある、請求項４に記載の拡張可能な旅行かばん類。
【請求項６】
前記第二弾性要素の前記舌部の付勢された最先端は、前記第二構成部品に十分に近接する前記開口を区画形成する前記端部の部分に係合し、また前記第二弾性要素の十分に付勢されていない次の端部は、前記第二弾性要素の少なくとも一部を囲む前記ブリッジプレートの一部とほぼ同一平面にある、請求項２に記載の拡張可能な旅行かばん類。
【請求項７】
前記少なくとも一部の弾性要素は、前記開口を含む前記収納部材の表面に向かって固有に付勢される、請求項１に記載の拡張可能な旅行かばん類。
【請求項８】
前記少なくとも一部の弾性要素を各ブリッジアセンブリに押圧することが、前記第一構成部品の前記壁パネルに対する前記ブリッジプレートのラッチ解除を可能にするように、前記ブリッジプレートは構成される、請求項１に記載の拡張可能な旅行かばん類。
【請求項９】
前記少なくとも一部の弾性要素が前記開口と整合されるとき、前記少なくとも一部の弾性要素が、前記開口を区画形成する前記端部の少なくとも一部に係合するように、前記ブリッジプレートは構成される、請求項１に記載の拡張可能な旅行かばん類。
【請求項１０】
前記少なくとも一部の弾性要素は、前記第二構成部品が前記第一構成部品から間隔を開けられて保持される少なくとも一つの位置に配置可能である、請求項９に記載の拡張可能な旅行かばん類。
【請求項１１】
前記ブリッジアセンブリはさらに、前記二つの構成部品の互いからの直線移動を支援するバネを具備する、請求項１に記載の拡張可能な旅行かばん類。
【請求項１２】
前記収納部材は、第一と第二の部材を具備し、前記第一部材は前記ブリッジプレートの前面側と協働するようになっていて、前記第二部材は前記ブリッジプレートの後面側と協働するようになっている、請求項１に記載の拡張可能な旅行かばん類。
【請求項１３】
前記収納部材はさらに、前記二つの構成部品を互いに向かって移動するとき、前記ブリッジプレートの前記第一の少なくとも一部の弾性要素をその中に停止させることができるさらなる開口を具備する、請求項１に記載の拡張可能な旅行かばん類。
【請求項１４】
前記第一構成部品は、主要なフレーム構成部品を具備する、請求項１に記載の拡張可能な旅行かばん類。
【請求項１５】
前記第一構成部品は、二次的なフレーム構成部品を具備する、請求項１に記載の拡張可能な旅行かばん類。
【請求項１６】
拡張可能な旅行かばんのフレームから成る第一構成部品の一対の対向する壁パネルを、共平面関係にありかつ互いに向かって及び互いから離れて前記二つの構成部品の直線移動用の、前記フレームの第二構成部品から成る対応する一対の対向壁パネルに連結するブリッジアセンブリであって、
前記第一構成部品の前記壁パネルに連結される収納部材であって、中に開口を区画形成する端部を有する収納部材と；
前記第二構成部品の前記壁パネルに連結されかつ前記収納部材により摺動自在に収納されるブリッジプレートであって、前記プレートは第一と第二の少なくとも一部の弾性要素を有し、各弾性要素は、前記二つの構成部品の互いに対する直線移動をほぼ固定する前記開口を区画形成する前記端部の少なくとも一部と係合可能に協働するよう構成されるブリッジプレート、を具備する、
ブリッジアセンブリ。
【請求項１７】
前記少なくとも一部の弾性要素は、舌部を具備する、請求項１６に記載のブリッジアセンブリ。
【請求項１８】
前記舌部の少なくとも一部は、前記開口を含む前記収納部材の表面に向かって固有に付勢される、請求項１７に記載のブリッジアセンブリ。
【請求項１９】
前記第一弾性要素の前記舌部の付勢された最先端は、前記第二構成部品から十分に離れて前記開口を区画形成する前記端部の部分に係合し、また前記第一弾性要素の十分に付勢されていない次の端部は、前記第一弾性要素の少なくとも一部を囲む前記ブリッジプレートの部分とほぼ同一平面にある、請求項１７に記載のブリッジアセンブリ。
【請求項２０】
第一構成部品と第二構成部品を有するフレームであって、その各々は、別の対の周縁壁部材と一緒に、変動可能な容積の筐体の周縁境界を形成する一対の対向する長方形の周縁壁パネルを含むフレームと；
前記二つのフレーム構成部品の前記周辺壁パネルと周縁壁部材との間に接続される可撓性材料から成る周縁連続ガセットと；
前記第一構成部品の各壁パネルを、共平面関係にありかつ互いに向かって及び互いから離れて前記二つの構成部品の直線移動用の、前記第二構成部品の対応する壁パネルに連結するブリッジアセンブリであって、
ブリッジアセンブリの各々は、
前記第一構成部品の前記壁パネルに連結される収納部材であって、中に開口を有する収納部材と；
前記第二構成部品の前記壁パネルに連結されかつ前記収納部材により摺動自在に収納されるブリッジプレートであって、前記プレートは第一と第二の要素を有し、各要素は前記二つの構成部品の互いに対する直線移動をほぼ固定する前記開口と係合可能に協働するよう構成されるブリッジプレート；
を含むブリッジアセンブリ；
を具備する、拡張可能な旅行かばん類。
【発明の詳細な説明】
【技術分野】
【０００１】
本発明は、かばん、特に旅行かばん、及び詳細には必要なとき拡張できる旅行かばんに関する。
【背景技術】
【０００２】
旅行かばんスペース用の旅行者のニーズは、旅行の期間、必要な衣服と他の所持品のタイプという点での旅行の種類、及び旅行先の気候に応じて、大幅に変化することが多い。例えば、目的と気候にかかわらず、旅行者は長期間用ほどの旅行かばんスペースを短期間用では必要としない。ビジネス旅行者は、特にカジュアルな服装と正装の両方を必要とするレクレーション旅行者ほどの旅行かばんスペースを必要としない。
【０００３】
旅行者に小さくかつ大きな旅行かばんスペースの必要条件を両方とも提供する一つの方法は、一部の旅行用の適度な大きさのスーツケースと他の旅行用の大きなスーツケースを所持することである。別の方法は、二つの適度な大きさのスーツケースを所持し、できれば一方のみ使用し、また大きな容量が必要とされるときは両方を使用することである。拡張可能な旅行かばん用の様々な提案もなされてきた。拡張可能な旅行かばん類は、旅行者に一個より多い旅行かばんを購入する価格に比べて価挌の節約を提供できる。さらに、旅行かばんの一部を拡張する能力は、旅行者が、旅行の際に運搬容量を変更することを可能にする。旅行者は旅行のときに買い物をし、かつ旅行先への旅行用よりも帰路の旅用に多くのスペースを必要とする場合が多い。
【０００４】
変動可能な容積を有する以前から周知の旅行かばんの大部分は、主要部分に対し折り畳みできかつ固定できる拡張可能な部分を備えるダッフルバッグなど、“軟らかい”タイプから成る。現在、入手可能で拡張可能な“堅い”旅行かばんは、旅行かばんが拡張されるとき互いから離れて移動する個々の堅いフレーム構成部品の連結が不適切なため、拡張されるとき剛性が不足している。
【発明の開示】
【０００５】
本発明の目的は、拡張されるとき高度の形状安定性を有する“堅い”タイプの拡張可能な旅行かばん類を提供することである。具体的に言うと、旅行かばん類を拡張するとき離れて移動する二つのフレーム構成部品の相対移動が最小化されるようにする二つのフレーム構成部品間の十分効果的な連結を提供することが本発明の目的である。さらなる目的は、小さな容積と大きな容積との間を容易に変更される堅い拡張可能な旅行かばん類を提供することである。
【０００６】
前述の目的は、第一の十分に堅い構成部品と第二の十分に堅い構成部品を有するフレームであって、フレームの各々は、一対の対向する長方形の周縁壁パネルを含み、かつ一対の壁部材と一緒に、変動可能な容積の容器の周縁境界と長方形領域を形成するフレームを含む拡張可能な旅行かばん類による、本発明に従って達成される。可撓性材料から成る周縁連続ガセットは、壁パネルと二つのフレーム構成部品の壁部材との間に接続され、また旅行かばん類が拡張されるとき容器の周縁壁の部分を提供する。ブリッジアセンブリは、第一構成部品の各壁パネルを、共平面関係にありかつ互いに向かって及び互いから離れる二つの構成部品の直線移動用の第二構成部品の対応する壁パネルに連結する。各ブリッジアセンブリは、第一構成部品の壁パネルに固定され、中に開口を有する収納部材と；第二構成部品の壁パネルに固定されかつ収納部材により摺動自在に収納される十分堅いブリッジプレートであって、開口と協働できる第一と第二の舌部を有するプレート、を含む。各ブリッジアセンブリ上の舌部が押圧されるとき、このことは、第二構成部品が第一構成部品から間隔を開けられて保持される少なくとも一つの位置の、第一構成部品の壁パネルにブリッジプレートをラッチすることを可能にする。
【０００７】
本発明の一層完全な理解と、その効果のために、以下に書かれた代表的な実施形態の説明に対する参照が、添付の図面と共に行われる。
【発明を実施するための最良の形態】
【０００８】
図１に示される実施形態は、材料、組立の方法、及び部品の形状の点に関していずれか適切で具体的な構造から成る、二つの構成フレームを有する。主要なフレーム構成部品１０は、十分に堅くかつ隅部に堅固に接続できる、一対の長方形平面側壁パネル１２と１４、底面壁部材１６、及び頂部壁部材１８を有する。図１は、パネルとして底部材と頂部材を示すが、現在商品化されているほとんどの旅行用かばんは、牽引可能な回転型から成る。実際に、そのような旅行かばん類については、主要フレームの底部材と頂部材は、車輪、牽引ハンドル、及び手提げ等を受納するよう構成できる。主要な構成フレーム１０はまた、一部または全体が堅い背面壁パネルも保持できる。二次的なフレーム構成部品２０は、実際問題として通常はシート材料の長方形の平面パネルでもある、対向する長方形の平面パネル２２と２４及び頂部材と底部材２６と２８から形成できる。
【０００９】
主要フレーム構成部品１０は、耐久性のある布から成るカバー３０を収納できる。二次的フレームの側部、頂部、及び底部は、布製カバー３２を収納できる。旅行かばん類の内部へのアクセスは、パネル３４により閉鎖される前面開口を介して可能で、低端部でカバー３２に連結可能で、及び三つの側面に沿ってジッパ３８の使用により開閉可能である。
【００１０】
旅行かばん類の主要部分（主要フレームとそのカバー３０）は、旅行かばん類の全周に沿って（頂部、底部、及び両側壁に沿って）延びる耐久性のある可撓性材料から成るガセット３６により二次的な部分（二次フレーム２０とそのカバー３２，３４）に連結できる。旅行かばん類の拡張状態において、ガセット３６は周辺に、二次装置が主要装置から離れて移動中に旅行かばん類の容積を増大できる主要区画の全容積のその部分の境界を示すことができる。旅行かばん類の折り畳み（小さい容積）状態において（示されていない）、旅行かばん類の全周囲に延びるジッパ４０は、旅行かばんを折り畳み状態にし続ける支援をするため使用できる。ガセット３６は、旅行かばんの内部に収めることができる。
【００１１】
主要フレーム構成部品１０は、互いにほぼ同一でかつその一方は側部パネル１２と２２に結合できまたもう一方は側部パネル１４と２４に結合できるのが好ましい、二つのブリッジアセンブリ５０により二次的なフレーム構成部品２０に連結できる。
【００１２】
図２Ａ-２Ｄを参照して、各ブリッジアセンブリは、主要フレーム構成部品１０の壁パネル１２，１４に取り付けできる固定されたプレート状部材１１０と、固定された部材１１０内部に摺動自在に収納できかつ二次フレーム構成部品２０自由端部に取り付けできる移動可能なプレート１１２から成る。移動可能なプレート１１２は、旅行かばん類の折り畳み状態と旅行かばん類の拡張状態との間の固定された部材１１０に対し摺動可能である。固定された部材１１０は、その間にポケットを形成する二つの背中合わせのプラスチックプレート１１６、１３０から形成できる。固定された部材１１０のチャネル１１４に収納される一対の圧縮バネ（示されていない）は、移動可能なプレート１１２を拡張状態に向けて付勢できる。固定された部材１１０の前面プレート１１６は、摺動可能なプレート１１２の移動の方向に間隔を開けられた一対のほぼ楕円状の開口１１８、１２０（図２Ｂ参照）を収納できる。（参照の都合上、この方向は、垂直方向、即ち図１の矢印５６の方向として本明細書に参照される。）楕円形の舌部１２２、１２４など一対の同様に間隔を開けられた弾性要素は、摺動可能なプレート１１２に形成でき、また後述されるように、間隔を開けられた楕円形開口１１８、１２０に収納できる。舌部１２２、１２４の固有の弾力性は、固定された部材１１０の前面プレート１１６に向けてそれらを付勢できて、上方舌部１２２の上端部１２２ａと下方舌部１２４の下端部１２４ａは摺動可能なプレート１１２の表面の上方に突出する。（図２Ｂ参照）あるいは又はさらに、バネ又は他の手段も、舌部１２２、１２４を前面プレート１１６に向けて付勢するために使用できる。
【００１３】
拡張アセンブリの折り畳み状態において、上部舌部１２２は上部楕円形開口１１８に収納でき、また下部舌部１２４は下部開口１２０と一致できる（図２Ａ参照）。代わりの実施形態においては、下部開口は存在しない。上部開口１１８に収納中、上部舌部１２２の上端部１２２ａは、開口１１８の対向端部に接して位置でき、かつ拡張状態に向かう、即ち図２Ａにおいて上向きの移動に対して摺動可能なプレート１１２をロックできる。拡張状態に移動用の摺動可能なプレート１１２を解除するために、ユーザは上部舌部１２２を手により押圧でき、するとすぐに圧縮バネ（示されていない）は摺動可能なプレート１１２を上向きに拡張状態に促す。バッグの折り畳み状態において、下部舌部１２４は下部楕円形開口１２０と一致できるが、下部舌部１２４の上端部はプレート１１２の表面と同一平面にできるので、それは拡張状態に向かう摺動プレート１１２の移動を妨害しない。
【００１４】
拡張状態に到達中、下部舌部１２４は、その固有の弾性により上部開口１１８の中に付勢できるが、舌部２４の下端部１２４ａは、折り畳み状態に向かう、即ち図２Ｂにおいて下向きの移動に対して摺動可能なプレート１１２をロックするために上部開口１１８の下端部に接して位置できる。プレート１１２を拡張状態から解除するために、舌部２４の下端部１２４ａは、手により押圧でき上部開口１１８の下端部との係合を脱する。プレート１１２は次に、圧縮バネの付勢力に抗して固定された部材１１０の中に下向きに押すことができる。上部舌部１２２は、舌部１２２の下端部がプレート１１２の表面と同一平面にできるので、固定された部材１１０の中へのプレート１１２の移動を妨害しない。
【００１５】
図２Ａに示すように、摺動可能なプレート１１２が折り畳み状態にできるとき、下部舌部１２４は下部開口１２０と一致できるが、下部開口１２０は、摺動可能なプレート１１２を折り畳み状態または拡張状態のどちらかにロックするために機能しない。実際、プレート１１２は、上部開口１１８の下向きの上端部と、上部舌部１２２の上端部１２２ａの係合により折り畳み状態から上向きに離れる移動に抗して、また上部開口１１８の上向きの下端部と、下部舌部１２４の下端部１２４ａの係合により拡張状態から下向きに離れる移動（例えば図２Ｂ）に抗してロックできる。従って、下部開口１２０の目的は、下部舌部１２４が、固定された部材１１０のポケット内部のそれ自体の固有の弾力性に抗して把持されるよりはむしろその停止状態に戻すことを可能にすることである。
【００１６】
摺動プレート１１２の移動の長さは、固定された部材１１０の後方プレート１３０の一対の細長いスロット１２８の上端部と、摺動プレート１１２の内表面上の一対のラグ１２６との係合により上向き方向に限定でき、それは図２Ｃと２Ｄに表される。下向き方向では、摺動プレート１１２の移動の長さは、下部開口１２０の上向き下端部と下部舌部１２４の下端部との係合により限定できる。スロット１２８とラグ１２６との係合はまた、プレート１１２を固定されたプレート１１０に対する摺動移動に誘導する役割も果すことができる。
【図面の簡単な説明】
【００１７】
【図１】図１は、本発明に記載の第一の代表的な実施形態の全体斜視図であり、切り抜かれた部分を備えている。
【図２Ａ】図２Ａは、収縮状態の、拡張しロックするアセンブリを正面から示す。
【図２Ｂ】図２Ｂは、拡張状態の、拡張しロックするアセンブリを正面から示す。
【図２Ｃ】図２Ｃは、収縮状態の、拡張しロックするアセンブリを後面から示す。
【図２Ｄ】図２Ｄは、拡張状態の、拡張しロックするアセンブリを後面から示す。
【図１】
2008510571.tif 000003
【図２Ａ】
2008510571.tif 000004
【図２Ｂ】
2008510571.tif 000005
【図２Ｃ】
2008510571.tif 000006
【図２Ｄ】
2008510571.tif 000007
【国際調査報告】
2008510571.tif 000008